(57)【要約】【課題】駆動装置の駆動時に弾性部材の振れ方向を一定方向にして他の遊技部材への影響を防止すると共に、弾性部材の一部が垂れ下がることによる美観の低下を防ぐことが可能な遊技機の提供を目的とする。【解決手段】多方向へ弾性変形可能な中空筒状の第１弾性部材８５と、前記第１弾性部材の中空部に挿入される第２弾性部材９１と、前記第１弾性部材と前記第２弾性部材の一端側を共に支持する支持部材７１と、前記支持部材を介して前記第１弾性部材及び前記第２弾性部材の一端側を駆動させる駆動手段６１とで駆動手段を構成し、前記第２弾性部材９１を、細長い平板状に形成し、前記平板状の厚み方向へ弾性変形可能とすると共に前記平板状の幅方向へ弾性変形困難とした。【選択図】      図７
2006181028.tif 000002
【特許請求の範囲】
【請求項１】
遊技状態に応じて駆動する駆動装置を備えた遊技機において、
前記駆動装置は、多方向へ弾性変形可能な中空筒状の第１弾性部材と、
前記第１弾性部材の中空部に挿入される第２弾性部材と、
前記第１弾性部材と前記第２弾性部材の一端側を共に支持する支持部材と、
前記支持部材を介して前記第１弾性部材及び前記第２弾性部材の一端側を駆動させる駆動手段とからなり、
前記第２弾性部材は、細長い平板状に形成され、前記平板状の厚み方向へ弾性変形可能とされると共に前記平板状の幅方向へ弾性変形困難とされていることを特徴とする遊技機。
【請求項２】
前記支持部材には回動用軸部が設けられると共に前記回動用軸部が前記駆動手段と連結されて回動可能にされ、前記支持部材が前記回動用軸部を軸に第１位置と第２位置を往復駆動可能とされたことを特徴とする請求項１に記載の遊技機。
【請求項３】
前記第２弾性部材は、前記厚み方向を前記駆動手段による前記支持部材の駆動方向と一致させて前記第１弾性部材内に挿入されていることを特徴とする請求項１または２に記載の遊技機。
【請求項４】
前記駆動手段の駆動を遊技状態に応じて制御する駆動制御手段を備えたことを特徴とする請求項１から３の何れか一項に記載の遊技機。
【請求項５】
前記支持部材は、前記第１弾性部材と前記第２弾性部材の一端側の少なくとも一部が挿入可能な凹部が形成された支持部材本体と、前記凹部に前記第１弾性部材と前記第２弾性部材の一端側が挿入された状態で蓋をする蓋体とよりなることを特徴とする請求項１から４の何れか一項に記載の遊技機。
【請求項６】
前記支持部材の内部と前記第１弾性部材の一端側の外部との何れか一方には嵌合用凸部を設けると共に他方には嵌合用凹部を設け、前記嵌合用凸部と前記嵌合用凹部との嵌合により前記第１弾性部材の一端側を前記支持部材に固定したことを特徴とする請求項１から５の何れか一項に記載の遊技機。
【請求項７】
前記第２弾性部材が前記第１弾性部材よりも強い弾性力を有することを特徴とする請求項１から６の何れか一項に記載の遊技機。
【請求項８】
前記遊技機の前面側に装飾部材を備え、
前記支持部材と前記第１弾性部材及び前記第２弾性部材を、前記装飾部材の前面側に配置して前記装飾部材の前面側で駆動するようにしたことを特徴とする請求項１から７の何れか一項に記載の遊技機。
【請求項９】
前記第２弾性部材は厚み方向が前記遊技機の前面と略平行となるようにして前記支持部材に支持され、
前記装飾部材の裏側には前記駆動手段が配置されて、前記駆動手段により前記支持部材と共に前記第１弾性部材及び前記第２弾性部材が前記装飾部材の前面側で前記遊技機の前面と略平行に駆動することを特徴とする請求項８に記載の遊技機。
【発明の詳細な説明】
【技術分野】
【０００１】
本発明は、パチンコ遊技機等に代表される遊技機に関する。
【背景技術】
【０００２】
従来、遊技機には、遊技状態に応じて駆動する駆動装置を備え、前記駆動装置の駆動によって遊技の演出を行うものがある。
【０００３】
前記遊技機の演出用駆動装置として、弾性変形可能であって側面が発光する柱状透光体を用い、前記柱状透光体の先端側を自由状態とし、基部側を揺動させるものが提案されている。
【０００４】
しかし、前記弾性変形可能な柱状透光体を用いる駆動装置にあっては、柱状透光体を一定方向に揺動させても、柱状透光体が目的の方向だけでなく多方向に振れる場合があり、その場合に柱状透光体が周辺の他の遊技部材と干渉して遊技部材や駆動装置自体を破損させるおそれがある。また、弾性変形可能な柱状透光体は、揺動を繰り返している間に弾性力が低下して一部が垂れ下がるなどの見た目に悪い状態を生じるおそれもある。
【特許文献１】特開２００４−１２１５１８号公報
【発明の開示】
【発明が解決しようとする課題】
【０００５】
本発明は、前記の点に鑑みなされたものであり、中空筒状の弾性部材を用いる駆動装置を備えた遊技機において、駆動装置の駆動時に弾性部材の振れ方向を一定方向にして他の遊技部材への影響を防止すると共に、弾性部材の一部が垂れ下がることによる美観の低下を防ぐことが可能な遊技機の提供を目的とする。
【課題を解決するための手段】
【０００６】
請求項１の発明は、遊技状態に応じて駆動する駆動装置を備えた遊技機において、前記駆動装置は、多方向へ弾性変形可能な中空筒状の第１弾性部材と、前記第１弾性部材の中空部に挿入される第２弾性部材と、前記第１弾性部材と前記第２弾性部材の一端側を共に支持する支持部材と、前記支持部材を介して前記第１弾性部材及び前記第２弾性部材の一端側を駆動させる駆動手段とからなり、前記第２弾性部材は、細長い平板状に形成され、前記平板状の厚み方向へ弾性変形可能とされると共に前記平板状の幅方向へ弾性変形困難とされていることを特徴とする。
【０００７】
請求項２の発明は、請求項１において、前記支持部材には回動用軸部が設けられると共に前記回動用軸部が前記駆動手段と連結されて回動可能にされ、前記支持部材が前記回動用軸部を軸に第１位置と第２位置を往復駆動可能とされたことを特徴とする。
【０００８】
請求項３の発明は、請求項１または２において、前記第２弾性部材が、前記厚み方向を前記駆動手段による前記支持部材の駆動方向と一致させて前記第１弾性部材内に挿入されていることを特徴とする。
【０００９】
請求項４の発明は、請求項１から３の何れか一項において、前記駆動手段の駆動を遊技状態に応じて制御する駆動制御手段を備えたことを特徴とする。
【００１０】
請求項５の発明は、請求項１から４の何れか一項において、前記支持部材は、前記第１弾性部材と前記第２弾性部材の一端側の少なくとも一部が挿入可能な凹部が形成された支持部材本体と、前記凹部に前記第１弾性部材と前記第２弾性部材の一端側が挿入された状態で蓋をする蓋体とよりなることを特徴とする。
【００１１】
請求項６の発明は、請求項１から５の何れか一項において、前記支持部材の内部と前記第１弾性部材の一端側の外部との何れか一方には嵌合用凸部を設けると共に他方には嵌合用凹部を設け、前記嵌合用凸部と前記嵌合用凹部との嵌合により前記第１弾性部材の一端側を前記支持部材に固定したことを特徴とする。
【００１２】
請求項７の発明は、請求項１から６の何れか一項において、前記第２弾性部材が前記第１弾性部材よりも強い弾性力を有することを特徴とする。
【００１３】
請求項８の発明は、請求項１から７の何れか一項において、前記遊技機の前面側に装飾部材を備え、前記支持部材と前記第１弾性部材及び前記第２弾性部材を、前記装飾部材の前面側に配置して前記装飾部材の前面側で駆動するようにしたことを特徴とする。
【００１４】
請求項９の発明は、請求項８において、前記第２弾性部材は厚み方向が前記遊技機の前面と略平行となるようにして前記支持部材に支持され、前記装飾部材の裏側には前記駆動手段が配置されて、前記駆動手段により前記支持部材と共に前記第１弾性部材及び前記第２弾性部材が前記装飾部材の前面側で前記遊技機の前面と略平行に駆動することを特徴とする。
【発明の効果】
【００１５】
請求項１の発明によれば、駆動装置は、多方向へ弾性変形可能な中空筒状の第１弾性部材と、前記第１弾性部材の中空部に挿入される第２弾性部材と、前記第１弾性部材と前記第２弾性部材の一端側を共に支持する支持部材と、前記支持部材を介して前記第１弾性部材及び前記第２弾性部材の一端側を駆動させる駆動手段とからなり、前記第２弾性部材が、細長い平板状に形成され、前記平板状の厚み方向へ弾性変形可能とされると共に前記平板状の幅方向へ弾性変形困難とされていることにより、第１弾性部材の振れ方向を第２弾性部材の厚み方向に限定して他方向への振れを制限することが可能となるため、第１弾性部材及び第２弾性部材の駆動時に駆動装置周辺の他の遊技部材への影響を防止することができる。また、第１弾性部材内に挿入された第２弾性部材の弾性力が第１弾性部材の弾性力に加わるため、第１弾性部材の一部が垂れ下がるのを抑えて美観の低下を防ぐことが可能となる。
【００１６】
請求項２の発明によれば、支持部材には回動用軸部が設けられると共に前記回動用軸部が前記駆動手段と連結されて回動可能にされ、前記支持部材が前記回動用軸部を軸に第１位置と第２位置を往復駆動可能とされたことにより、前記支持部材に一端側が支持されている前記第１弾性部材と前記第２弾性部材を振り動かすことが可能となる。
【００１７】
請求項３の発明によれば、第２弾性部材は、厚み方向を前記駆動手段による前記支持部材の駆動方向と一致させて前記第１弾性部材内に挿入されていることにより、第１弾性部材を駆動方向へ振れさすことが可能となると共に駆動方向とは異なる方向へ振れるのを抑えることが可能となる。
【００１８】
請求項４の発明によれば、駆動手段の駆動を遊技状態に応じて制御する駆動制御手段を備えたことにより、遊技状態に応じた駆動動作が可能となる。
【００１９】
請求項５の発明によれば、支持部材は、前記第１弾性部材と前記第２弾性部材の一端側の少なくとも一部が挿入可能な凹部が形成された支持部材本体と、前記凹部に前記第１弾性部材と前記第２弾性部材の一端側が挿入された状態で蓋をする蓋体とからなることにより、支持部材への第１弾性部材と第２弾性部材の組み付け作業等を容易に行うことが可能となる。
【００２０】
請求項６の発明によれば、支持部材の内部と前記第１弾性部材の一端側の外部との何れか一方には嵌合用凸部を設けると共に他方には嵌合用凹部を設け、前記嵌合用凸部と前記嵌合用凹部との嵌合により前記第１弾性部材の一端側を前記支持部材に固定したことにより、支持部材から第１弾性部材が外れるのを防止することが可能となる。
【００２１】
請求項７の発明によれば、第２弾性部材が第１弾性部材よりも強い弾性力を有することにより、駆動装置の長期使用などで第１弾性部材の弾性力が弱くなっても、第１弾性部材の一部が垂れ下がるのを抑えて美観の低下を防ぐことが可能となる。
【００２２】
請求項８の発明によれば、遊技機の前面側に装飾部材を備え、前記支持部材と前記第１弾性部材及び前記第２弾性部材を、前記装飾部材の前面側に配置して前記装飾部材の前面側で駆動するようにしたことにより、装飾部材による装飾に支持部材と第１弾性部材と第２弾性部材の駆動が加わった演出を行うことが可能となる。
【００２３】
請求項９の発明によれば、第２弾性部材は厚み方向が前記遊技機の前面と略平行となるようにして前記支持部材に支持され、前記装飾部材の裏側には前記駆動手段が配置されて、前記駆動手段により前記支持部材と共に前記第１弾性部材及び前記第２弾性部材が前記装飾部材の前面側で前記遊技機の前面と略平行に駆動することにより、駆動装置の駆動時に、第１弾性部材と遊技機前面との干渉及び駆動装置周辺の他の遊技部材に対する影響を防止しながら、装飾部材による装飾に支持部材と第１弾性部材と第２弾性部材による駆動が加わった演出を行うことが可能となる。
【発明を実施するための最良の形態】
【００２４】
以下添付の図面に基づき本発明の好適な実施形態を説明する。図１は本発明の一実施例に係る遊技機について遊技盤の釘を省略して示す正面図、図２は同遊技機の遊技盤について釘を省略して示す正面図、図３は同遊技機の制御基板や装置等の接続を簡略に示すブロック図、図４は同駆動装置の第１位置及び第２位置の状態を示す装飾部材及び特別図柄表示装置部分の正面図、図５は同遊技機における駆動装置の正面斜視図、図６は同駆動装置の裏面斜視図、図７は同駆動装置における棒状体の分解斜視図、図８は同駆動装置における棒状体の分解裏面図及び一部組み立て図、図９は同駆動装置の第１位置の状態における正面図、平面図及び側面図、図１０は同駆動装置の第２位置の状態における正面図、平面図及び側面図、図１１は本発明の駆動装置と第２弾性部材の無い場合の駆動装置における第１位置と第２位置の状態を比較して示す図である。
【００２５】
図１に示すこの実施例の遊技機１は、遊技媒体として遊技球を用いるパチンコ遊技機であり、図２にも示すように、遊技盤３の縁に遊技球の外側ガイドレール４及び内側ガイドレール５が略円形に立設され、前記内側ガイドレール５によって囲まれた遊技領域６の中心線上にその上部から下部に向かって順に特別図柄表示装置９、始動入賞口１０、特別電動役物である大入賞口１５、アウト口１７が配設されている。前記特別図柄表示装置９の右上には普通図柄表示装置１１が設けられている。また、前記特別図柄表示装置９の下方には、前記始動入賞口１０の左側に普通図柄変動開始用ゲート１９、その下方に左落とし入賞口２７が設けられ、一方、前記始動入賞口１０の右側に第１右袖入賞口２３と第２右袖入賞口２５、その下方に右落とし入賞口２９が配設されている。
【００２６】
さらに、前記遊技機１の前面側となる遊技盤３の前面には、前記特別図柄表示装置９の周囲に装飾部材３１が配設されている。本実施例の装飾部材３１は、図４にも示すように、模様が形成された枠形状からなり、プラスチックで構成されている。前記装飾部材３１の上部裏側には、図５及び図６に示す駆動装置６０の駆動ソレノイド６１が駆動手段として配置され、一方、前記装飾部材３１の前面側には図３に示すように前記駆動装置６０の棒状体７０が配置され、前記駆動ソレノイド６１によって前記棒状体７０が前記装飾部材３１の前面側で前記遊技機１の前面と略平行、すなわち図示の場合では、前記特別図柄表示装置９の前面と略平行に駆動するようにされている。前記駆動装置６０の棒状体７０は、支持部材７１と第１弾性部材８５と、前記第１弾性部材８５内に挿入されている第２弾性部材９１及び先端のキャップ部材９５とで構成されている。前記駆動装置６０の詳細については、後述する。なお、図１における符号２２は風車、Ｆ１は外枠、Ｆ２は外枠Ｆ１に取り付けられた前枠、Ｇは前枠Ｆ２に開閉可能にヒンジで取り付けられたガラス枠である。さらに、本実施例の遊技機１には、プリペイドカードニット５６が接続されている。
【００２７】
また、前記遊技機１の前面側には、枠飾り右ランプ３５ａ、枠飾り上ランプ３５ｂ及び枠飾り左ランプ３５ｃからなるランプ装置３５、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技領域６に向けて弾発発射する発射装置５３等がそれぞれ組み付けられている。符号５４は操作レバーである。
【００２８】
遊技を制御するための複数の制御基板や装置等は、遊技機１の裏側に設けられている。前記各制御基板には制御回路が設けられている。主な制御基板の電気的接続を、図３のブロック図を用いて簡略に示す。
【００２９】
図３は、前記制御基板及び装置の主なものとして、主制御基板１００、表示制御基板１１０、音声制御基板１２０、ランプ制御基板１３０、払出制御基板１４０等が示されている。
【００３０】
前記主制御基板１００は、ＣＰＵ，ＲＡＭ，ＲＯＭ，複数のカウンタを備えたコンピュータと、該コンピュータと表示制御基板や音声制御基板等の副制御基板等を結ぶ入出力回路を備え、遊技の当否判定や副制御基板に対する制御等、遊技の主な制御を行う。また、本実施例では、前記主制御基板１００は、前記駆動装置６０に対する駆動制御手段としても機能し、遊技状態に応じて駆動装置６０の駆動ソレノイド６１を制御する。それに対して、前記表示制御基板１１０は、前記特別図柄表示装置９及び普通図柄表示装置１１の制御を行う。また、前記音声制御基板１２０は前記スピーカ３８からの音声を制御し、前記ランプ制御基板１３０は前記ランプ装置３５等の制御を行い、前記払出制御基板１４０は賞球払出装置及び球貸払出装置による賞球及び貸球の払出を制御する。
【００３１】
前記遊技機１では、前記遊技領域６へ向けて前記発射装置５３により発射された遊技球が、前記種々の入賞口に入賞すると入賞口に応じた所定数の遊技球が賞球として上側球受け皿３６に払い出される。また、前記普通図柄変動開始用ゲート１９を遊技球が通過すると、小当たり判定・普通図柄決定用乱数値が取得され、その取得乱数値に基づいて普通図柄の当たり（小当たり）判定が行われ、前記普通図柄表示装置１１で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口１０に遊技球が入賞すると、所定数の遊技球が賞球として払い出される。
【００３２】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記特別図柄表示装置９で特別図柄が変動を開始し、所定時間変動後に停止する。
【００３３】
前記大当たりの当否判定結果が大当たりの場合には、前記特別図柄表示装置９に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記特別遊技状態になると、前記大入賞口１５の開閉板１６が開いて遊技領域６の表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口５２への入賞球が検出されると、前記大当たりを再度繰り返す継続権利が発生し、所定最高回数（例えば最高１６回）、前記開閉板１６の開放を繰り返すようになっている。
【００３４】
さらに、本実施例では、前記特別図柄の変動表示時、前記特別図柄表示装置９では特別図柄の他にキャラクタや背景画像等の演出画像が表示されると共に、前記駆動装置６０の駆動ソレノイド６１が前記主制御基板（駆動制御手段）１００の制御により作動して前記棒状体７０を駆動させ、遊技状態に応じた演出（例えば大当り予告やリーチ予告などの遊技の当たりへの期待感を向上させる役割としての演出や前記特別図柄表示装置９での演出画像に合わせた演出等）を行う。本実施例における前記棒状体７０の駆動は、図４に示すように、前記棒状体７０が左端側にある後記の回動用軸部８０（図５〜図９に示す）を軸にして揺動することにより、駆動前の左右水平状態の第１位置と、駆動時の右斜め下がり状態の第２位置間を、前記遊技機１の前面（本実施例では特別図柄表示装置９の前面）と略平行に往復駆動するものである。前記駆動装置６０の詳しい構成を、次に説明する。
【００３５】
前記駆動装置６０は、図５乃至図８に示すように、駆動手段としての駆動ソレノイド６１と、前記駆動ソレノイド６１によって駆動する棒状体７０を備える。
【００３６】
前記駆動ソレノイド６１は、伸縮する作動シャフト６２を備え、本実施例では前記作動シャフト６２を下向きにして前記装飾部材３１の裏側に配置されている。さらに、前記作動シャフト６２は、その外周に装着されたコイルスプリングＳによって通常時に下方へ伸びた状態とされ、駆動時に上方へ後退して縮むようにされている。また、前記作動シャフト６２の先端（下部）には前記装飾部材３１の裏側と略平行に略左右水平のアーム６３が固定され、前記作動シャフト６２と共に上下動可能とされている。前記アーム６３の先端側には、前記装飾部材３１側の面に後述の連動部材６４（図７に示す）とのリンク孔６５（図５に示す）が形成さている。
【００３７】
前記棒状体７０は、支持部材７１と第１弾性部材８５と第２弾性部材９１及びキャップ部材９５とからなる。
【００３８】
前記支持部材７１は、支持部材本体７２と蓋体７８とよりなる。前記支持部材本体７２は、短棒状からなり、先端が開口していると共に第１弾性部材８５及び第２弾性部材９１の一端側の一部が押入可能な凹部７３が内部に形成されている。前記凹部７３の奥側には、一段深くなった嵌合用凹部７５が形成されており、後述する第１弾性部材８５の嵌合用凸部８６と嵌合して第１弾性部材８５の一端側を駆動装置の駆動時等に支持部材本体７２と蓋体７８の先端の開口側から抜けないように支持固定するようになっている。また、前記支持部材本体７２の中央部内側には、中心にネジ孔７６の貫通形成された筒部７７が立設されている。さらに、前記支持部材本体７２の他端近くの裏側には回動用軸部８０が前記支持部材本体７２の長さ方向に対し垂直に一体的に設けられている。また、本実施例では前記支部部材本体７２の他端にバランス用重り部材８４が取り付けられる。一方、前記蓋体７８は、前記支持部材本体７２の凹部７３に第１弾性部材８５及び第２弾性部材９１の一端側が挿入された状態で、前記凹部７３に蓋をするもので、略中央に形成されたネジ挿通孔７９に挿通したネジ（図示せず）を、前記支持部材本体７２のネジ孔７６に螺合させることによって、前記支持部材本体７２に固定される。
【００３９】
前記回動用軸部８０の略中央部外周には、図５〜図７、図９及び図１０に示す筒状保持部材８１が装着されている。前記筒状保持部材８１は、前記装飾部材３１の貫通孔（図示せず）に取り付けられて、前記回動用軸部８０を回動可能に保持する。なお、前記筒状保持部材８１の孔の内径は、前記回動用軸部８０の直径より僅かに大とされていて、前記回動用軸部８０の回動を妨げないようにしている。
【００４０】
また、前記回動用軸部８０の先端側、すなわち前記支持部材７１から遠い側の端部には連動部材６４が固着されている。前記連動部材６４は、一端側の係止孔６４ａの形状と前記回動用軸部８０の先端の形状が同形状となっており、一端側の係止孔６４ａに前記回動用軸部８０の先端が挿通固定され、他端側に前記支持部材７１とは反対側へ向けて係止ピン６７が立設されている。前記係止ピン６７は、前記駆動ソレノイド６１のアーム６３におけるリンク孔６５（図５に示す）に挿入されて緩く係止し、これによって前記回動用軸部８０が前記駆動ソレノイド６１に連結される。
【００４１】
前記第１弾性部材８５は、多方向へ弾性変形可能な中空筒状からなる。前記第１弾性部材８５の材質としては、ゴム、弾性発泡体、コイルスプリングなどが挙げられる。本実施例では、密に巻かれたコイルスプリングで構成されている。また、前記第１弾性部材８５の一端側の外部には、第１弾性部材８５の中央部よりも直径が大の嵌合用凸部８６が形成され、前記嵌合用突部８６を前記支持部材本体７２の嵌合用凹部７５に嵌合させることにより、前記第１弾性部材８５が前記支持部材７１に固定される。また、前記第１弾性部材８５の他端には、キャップ部材９５を固定するためのキャップ嵌合用凸部８７が直径を第１弾性部材８５の中央部よりも大にして形成されている。
【００４２】
前記第２弾性部材９１は、細長い平板状の弾性材、例えば金属あるいはプラスチック製の平板状バネ体で構成されている。前記第２弾性部材９１は、平板状の厚みｔよりも幅ｗが大に形成され、それによって、前記厚みｔ方向（すなわち平面と垂直方向）には弾性変形可能とされ、一方幅ｗ方向（すなわち平面とは平行方向）には弾性変形困難とされている。前記第２弾性部材９１の厚み方向への弾性力は、前記第１弾性部材８５の弾性力よりも強いものとされている。前記第２弾性部材９１は、前記第１弾性部材８５の中空部８５ａに挿通可能なサイズとされ、前記厚みｔ方向を前記駆動ソレノイド６１による支持部材７１の駆動方向と一致させて、すなわち本実施例では遊技機の前面及び前記遊技盤３の前面と略平行方向にして挿入されている。前記第２弾性部材９１の一端側、すなわち支持部材７１側には、厚みｔ方向の一側へ湾曲した固定部９２が設けられ、前記固定部９２を、前記支持部材本体７２内の筒部７７の外周面に係合させることにより、前記第２弾性部材９１が支持部材７１に固定されるようになっている。前記支持部材７１への固定によって、前記第２弾性部材９１の平板状の幅ｗ方向が、前記回動用軸部８０と略平行、すなわち前記遊技機の前面と略垂直となり、一方、前記平板状の厚みｔ方向が前記駆動ソレノイド６１による支持部材７１の駆動方向、すなわち前記遊技機の前面及び遊技盤３の前面と略平行となる。また、前記第２弾性部材９１は、前記第１弾性部材８５よりも長いものとされ、前記第１弾性部材８５の先端から突出する第２弾性部材９１の先端にフック形状のキャップ固定部９３が形成されている。また、前記第２弾性部材９１の前記支持部材本体７２内の前記筒部７７への係合は、前記棒状体７０が駆動前の略左右水平状態の第１位置の時、前記第２弾性部材９１の前記固定部９２が前記筒部７７の下方側に位置し、前記支持部材本体７２内では前記嵌合用凹部７５と前記筒部７７の間に形成された突形状の規制部７４により、前記第２弾性部材９１の下側を上向きに支持して前記第２弾性部材９１の前記支持部材本体７２側先端９１ａよりも他端側の先端９１ｂの方を上方に向けるように規制し、前記第１弾性部材８５の先端垂れ下がりに対する防止効果を高めている。
【００４３】
前記キャップ部材９５は、前記第１弾性部材８５及び第２弾性部材の先端に取り付けられる。前記キャップ部材９５の作用は、本実施例では、前記棒状体７０の先端における装飾性を高めることの他に、前記棒状体７０が前記駆動ソレノイド６１により駆動して前記回動用軸部８０を軸に回動し、それにより上下に揺動する際に、揺動上限位置と揺動下限位置で棒状体７０が一旦停止する時に棒状体７０に反動を付与して、棒状体７０を弓状に反らせ易くし、演出を高めることが挙げられる。前記キャップ部材９５は、キャップ部材本体９６と、前記キャップ部材本体９６内に前記第１弾性部材８５と第２弾性部材９１の端部を収容した状態で前記キャップ部材本体９６に蓋をするキャップ部材蓋体９７とよりなる。前記キャップ部材本体９６は、内部に前記第１弾性部材８５の端部を収容可能な凹形状からなり、先端側には前記第１弾性部材８５の先端よりも中央側が挿入されるキャップ凹部９６ａと、さらに奥側に形成された第１弾性部材嵌合用凹部９８と、前記第２弾性部材９１のキャップ固定部９３が係止する筒部９９とが形成されている。前記第１弾性部材嵌合用凹部９８は、前記キャップ凹部９６ａよりも一段深く形成されていて、前記第１弾性部材８５の前記キャップ嵌合用凸部８７と嵌合可能となっている。前記キャップ部材蓋体９７は、前記キャップ部材本体９６の筒部９９にネジ止め固定される。そして、前記第１弾性部材嵌合用凹部９８と前記キャップ嵌合用凸部８７の嵌合により前記第１弾性部材８５から前記キャップ部材９５が駆動装置の駆動時等に抜け落ちないようにされている。
【００４４】
このようにしてなる前記駆動装置６０は、駆動前の通常時、前記駆動ソレノイド６１の作動シャフト６２が前記コイルスプリングＳで付勢されて下方へ伸びた状態となっており、図４の（Ａ）及び図９に示すように、前記支持部材７１は、前記特別図柄表示装置９の上方における装飾部材３１の前面で略左右水平の第１位置の状態にあり、それにより、前記支持部材７１、前記第１弾性部材８５、前記第２弾性部材９１及び前記キャップ部材９５からなる前記棒状体７０が、前記第１位置の状態となっている。
【００４５】
前記駆動ソレノイド６１が前記遊技状態に応じて作動し、前記作動シャフト６２が上方へ後退して縮むと、前記作動シャフト６２に取り付けられているアーム６３が上方へ移動する。そして、前記アーム６３と係止している前記連動部材６４は、前記アーム６３との係止側端部が上方へ移動し、それによって前記回動用軸部８０を軸にして回動すると共にし、前記回動用軸部８０の形成されている前記支持部材７１が、前記回動用軸部８０を軸にして回動する。これにより、前記支持部材７１は、前記特別図柄表示装置９の上方における装飾部材３１の前面で略左右水平の第１位置から駆動して、図４の（Ｂ）及び図１０に示すように、前記回動用軸部８０を軸に下方へ回動（揺動）して第２位置の状態になり、前記支持部材７１と第１弾性部材８５と第２弾性部材９１及びキャップ部材９５からなる前記棒状体７０も第２位置になる。その後、遊技状態に応じて再び前記駆動ソレノイド６１の作動シャフト６２が下方へ伸びることにより前記支持部材７１が第１位置に戻り、これにより前記棒状体７０も第１位置に戻る。前記支持部材７１及び前記棒状体７０の第１位置と第２位置の往復駆動は、前記主制御基板１００によって制御され、遊技状態に応じて繰り返される。
【００４６】
前記支持部材７１及び棒状体７０の第１位置と第２位置の往復駆動時、前記第２弾性部材９１の弾性変形可能な方向、すなわち厚みｔ方向が、前記支持部材７１の駆動方向と一致しているため、前記棒状体７０の振れる方向は、前記支持部材７１の駆動方向、すなわち本実施例では前記遊技機の前面と略平行となり、他の方向へ振れて遊技機の前面に位置する前記ガラス枠Ｇと衝突したり、棒状体７０の後方側に位置する前記特別図柄表示装置９と衝突したりして、棒状体７０の動きがギクシャクして演出を損ねたり、棒状体７０やガラス枠Ｇあるいは特別図柄表示装置９等の周辺遊技部材を損傷したりするおそれがない。また、前記棒状体７０は、前記第１弾性部材８５内に挿入されている前記第２弾性部材９１の弾性力が前記第１弾性部材８５の弾性力に加わっているため、第１弾性部材８５等の重みにより、あるいは前記第１位置と第２位置の往復を繰り返すうちに前記第１弾性部材８５の弾性力が低下することなどによって生じる前記第１弾性部材８５における一部の垂れ下がり発生を、抑えることができる。
【００４７】
図１１は本発明の駆動装置６０と、前記第２弾性部材の無い駆動装置６０Ａとにおける駆動時の状態を示す図である。このように、本発明は、前記の構成としたことにより、第１弾性部材及び第２弾性部材の駆動時に駆動装置周辺の他の遊技部材への影響を防止することができ、また、第１弾性部材内に挿入された第２弾性部材の弾性力が第１弾性部材の弾性力に加わるため、第１弾性部材の一部が垂れ下がるのを抑えて美観の低下を防ぐことが可能となったのである。
【００４８】
なお、本発明は、前記の実施例に限定されるものではなく、発明の趣旨を逸脱しない範囲において構成の一部を適宜変更して実施することができる。例えば、第１弾性部材はコイルスプリングに代えてゴムチューブとしたり、弾性発泡体からなる中空筒状体としたりしてもよい。また、本実施例では、駆動手段として駆動ソレノイドを用いたが、それに限定されるものではなく、例えば駆動モータを用い、支持部材の回動用軸部と駆動モータを連結して支持部材を駆動させてもよい。さらに、前記駆動装置の位置は、本実施例では遊技領域の略中央位置とされているが、他の位置、例えば遊技領域の左右端、あるいは上下端などであってもよい。また、本発明の遊技機はパチンコ遊技機に限定されるものではなく、駆動装置を有する他の遊技機にも適用可能である。
【図面の簡単な説明】
【００４９】
【図１】本発明の一実施例に係る遊技機について遊技盤の釘を省略して示す正面図である。
【図２】同遊技機の遊技盤について釘を省略して示す正面図である。
【図３】同遊技機の制御基板や装置等の接続を簡略に示すブロック図である。
【図４】同駆動装置の第１位置及び第２位置の状態を示す装飾部材及び特別図柄表示装置部分の正面図である。
【図５】同遊技機における駆動装置の正面斜視図である。
【図６】同駆動装置の裏面斜視図である。
【図７】同駆動装置における棒状体の分解斜視図である。
【図８】同駆動装置における棒状体の分解裏面図及び一部組み立て図である。
【図９】同駆動装置の第１位置の状態における正面図、平面図及び側面図である。
【図１０】同駆動装置の第２位置の状態における正面図、平面図及び側面図である。
【図１１】本発明の駆動装置と第２弾性部材の無い駆動装置における第１位置と第２位置の状態を比較して示す図である。
【符号の説明】
【００５０】
１  遊技機
３  遊技盤
６  遊技領域
９  特別図柄表示装置
１０  始動入賞口
３１  装飾部材
６０  駆動装置
６４  連動部材
７０  棒状体
７１  支持部材
７２  支持部材本体
７８  蓋体
８０  回動用軸部
８５  第１弾性部材
９１  第２弾性部材
【図１】
2006181028.tif 000003
【図２】
2006181028.tif 000004
【図３】
2006181028.tif 000005
【図４】
2006181028.tif 000006
【図５】
2006181028.tif 000007
【図６】
2006181028.tif 000008
【図７】
2006181028.tif 000009
【図８】
2006181028.tif 000010
【図９】
2006181028.tif 000011
【図１０】
2006181028.tif 000012
【図１１】
2006181028.tif 000013